(57)【要約】      （修正有）【課題】デマンドレスポンスにおけるインセンティブの獲得効率を適切に判断する、デマンドレスポンス制御結果提示装置を提供する。【解決手段】制御装置３０は、設備機器２０が制御要請に応じてエネルギー消費量を調整するデマンドレスポンス制御を行った場合、設備機器２０のユーザに対してインセンティブを付与するエネルギー消費量管理システムに用いられる。制御装置３０は、設備機器２０が行ったデマンドレスポンス制御の制御結果を提示する。制御装置３０は、通信部と出力部及び演算部とを備える。通信部は、制御結果に関する情報を取得する。また通信部は、インセンティブの量に関する情報を取得する。演算部は、インセンティブの量に関連付けて制御結果を提示するための情報を生成する。出力部は、演算部により生成された情報を提示する。【選択図】図１
2016177657.tif 000002
【特許請求の範囲】
【請求項１】
設備機器（２０）が制御要請に応じてエネルギー消費量を調整するデマンドレスポンス制御を行った場合、前記設備機器のユーザに対してインセンティブを付与するエネルギー消費量管理システムに用いられる、前記設備機器が行った前記デマンドレスポンス制御の制御結果を提示するデマンドレスポンス制御結果提示装置（３０）であって、
前記制御結果に関する情報を取得する制御結果取得部（３１）と、
前記インセンティブの量に関する情報を取得するインセンティブ量取得部（３１）と、
前記インセンティブの量に関連付けて前記制御結果を提示する制御結果提示部（３３，３６）と、
を備える、デマンドレスポンス制御結果提示装置。
【請求項２】
前記制御結果提示部は、前記インセンティブの量の変動に対応させて前記制御結果を提示する、
請求項１に記載のデマンドレスポンス制御結果提示装置。
【請求項３】
前記制御結果に対する閾値の設定を受け付ける閾値設定部（３２）をさらに備え、
前記制御結果提示部は、前記制御結果と前記閾値とを比較し、比較結果に応じて前記制御結果を提示する、
請求項１または２に記載のデマンドレスポンス制御結果提示装置。
【請求項４】
前記エネルギー消費管理システムは、複数の設備機器に対する複数のユーザに個別にインセンティブを付与するものであり、
前記制御結果取得部は、一のユーザ以外の他のユーザの設備機器が行ったデマンドレスポンス制御の制御結果に関する情報を取得し、
前記制御結果提示部は、他のユーザの前記制御結果に関する情報に基づいて、前記一のユーザの制御結果を提示する、
請求項１から３のいずれか１項に記載のデマンドレスポンス制御結果提示装置。
【請求項５】
前記制御結果提示部は、前記制御結果として、
所定の期間における前記設備機器がデマンドレスポンス制御を行った時間と、
所定の期間における前記設備機器がデマンドレスポンス制御を行った回数と、
所定の期間における前記設備機器が行ったデマンドレスポンス制御により調整されたエネルギー消費量と、
所定の期間における前記設備機器が行ったデマンドレスポンス制御により前記ユーザに付与されたインセンティブの量と、
所定の期間における前記設備機器が受け取った前記制御要請の回数と、
所定の期間における前記設備機器が前記制御要請に応じることが可能な回数と、
のいずれか１つ又はこれらの組み合わせを提示する、
請求項１から４のいずれか１項に記載のデマンドレスポンス制御結果提示装置。
【請求項６】
前記制御結果提示部は、前記インセンティブの量として、
前記デマンドレスポンス制御により調整される単位エネルギー消費量あたりの獲得金額と、
前記デマンドレスポンス制御の制御回数あたりの獲得金額と、
前記ユーザが支払う単位エネルギー消費量に対する割引金額と、
前記ユーザが支払うエネルギー消費量に対する、前記デマンドレスポンス制御の制御回数あたりの割引金額と、
前記ユーザが支払う単位エネルギー消費量に対する割引後の金額と、
の少なくともいずれか１つに対応させて前記制御結果を提示する、
請求項１から５のいずれか１項に記載のデマンドレスポンス制御結果提示装置。
【発明の詳細な説明】
【技術分野】
【０００１】
本発明は、設備機器が行ったデマンドレスポンス制御の制御結果を提示する装置に関する。
【背景技術】
【０００２】
近年、デマンドレスポンス（以下、「ＤＲ」と記載する場合がある）を実現するための「デマンドレスポンス制御」が検討されている。デマンドレスポンスの一態様として、電力供給者等が設備機器のユーザ（電力需要者）にインセンティブ（金銭、電気料金の減額等）を付与し、設備機器の電力消費量の調整を促すことで、安定した電力供給に資するものがある。このようなデマンドレスポンスを実現するために、設備機器が制御要請に応じて電力消費量（エネルギー消費量）を調整するデマンドレスポンス制御を行う。
【０００３】
また、従来から、電力調整技術の分野において、電力消費量を抑制したユーザに対してインセンティブ額を表示する技術などが検討されている（例えば、特許文献１（特開２００５−２５０５２３号公報））。
【発明の概要】
【発明が解決しようとする課題】
【０００４】
上述した態様のデマンドレスポンスにおいて、インセンティブの獲得量が、デマンドレスポンス制御の制御条件や設備機器の利用環境等により変動する場合がある。この場合、インセンティブの獲得量の予測ができなくなることから、デマンドレスポンス制御の制御条件の継続や変更を、ユーザが適切に判断することが困難になるという事態が生じる。
【０００５】
本発明の課題は、デマンドレスポンスにおけるインセンティブの獲得効率を適切に判断させることが可能なデマンドレスポンス制御結果提示装置を提供することにある。
【課題を解決するための手段】
【０００６】
本発明の第１観点に係るデマンドレスポンス制御結果提示装置は、設備機器が制御要請に応じてエネルギー消費量を調整するデマンドレスポンス制御を行った場合、設備機器のユーザに対してインセンティブを付与するエネルギー消費量管理システムに用いられる。デマンドレスポンス制御結果提示装置は、設備機器が行ったデマンドレスポンス制御の制御結果を提示する。デマンドレスポンス制御結果提示装置は、制御結果取得部とインセンティブ量取得部と制御結果提示部とを備える。制御結果取得部は、制御結果に関する情報を取得する。インセンティブ量取得部は、インセンティブの量に関する情報を取得する。制御結果提示部は、インセンティブの量に関連付けて制御結果を提示する。
【０００７】
このデマンドレスポンス制御結果提示装置では、制御結果提示部がインセンティブの量に関連付けて制御結果を提示するので、ユーザに対して、デマンドレスポンスにおけるインセンティブの獲得効率を適切に判断させることができる。換言すると、ユーザに制御条件の継続や変更を判断させることができるので、デマンドレスポンスへの参加のモチベーションの維持に貢献するとともにインセンティブの獲得機会の損失を低減できる。
【０００８】
本発明の第２観点に係るデマンドレスポンス制御結果提示装置は、第１観点に係るデマンドレスポンス制御結果提示装置であって、制御結果提示部がインセンティブの量の変動に対応させて制御結果を提示する。したがって、このデマンドレスポンス制御結果提示装置では、同一の制御条件において多くのインセンティブを獲得できる時間帯などをユーザに認識させることができる。
【０００９】
本発明の第３観点に係るデマンドレスポンス制御結果提示装置は、第１観点または第２観点に係るデマンドレスポンス制御結果提示装置であって、閾値設定部をさらに備える。閾値設定部は、制御結果に対する閾値の設定を受け付ける。制御結果提示部は、制御結果と閾値とを比較し、比較結果に応じて制御結果を提示する。
【００１０】
このデマンドレスポンス制御結果提示装置では、閾値と比較することで、インセンティブの獲得効率をユーザに容易に判断させることができる。
【００１１】
本発明の第４観点に係るデマンドレスポンス制御結果提示装置は、第１観点から第３観点のいずれかのデマンドレスポンス制御提示装置であって、複数の設備機器に対する複数のユーザに個別にインセンティブを付与するエネルギー消費管理システムに用いられるものである。制御結果取得部は、一のユーザ以外の他のユーザの設備機器が行ったデマンドレスポンス制御の制御結果に関する情報を取得する。制御結果提示部は、他のユーザの制御結果に関する情報に基づいて、一のユーザの制御結果を提示する。
【００１２】
このデマンドレスポンス制御結果提示装置では、制御結果提示部が他のユーザの制御結果に関する情報に基づいて一のユーザの制御結果を提示するので、制御条件に対する判断の妥当性を他者との比較でユーザに検証させることができる。
【００１３】
本発明の第５観点に係るデマンドレスポンス制御結果提示装置は、第１観点から第４観点のいずれかに係るデマンドレスポンス制御結果提示装置であって、制御結果提示部が、制御結果として、所定の期間における設備機器がデマンドレスポンス制御を行った時間と、所定の期間における設備機器がデマンドレスポンス制御を行った回数と、所定の期間における設備機器が行ったデマンドレスポンス制御により調整されたエネルギー消費量と、所定の期間における設備機器が行ったデマンドレスポンス制御によりユーザに付与されたインセンティブの量と、所定の期間における設備機器が受け取った制御要請の回数と、所定の期間における設備機器が制御要請に応じることが可能な回数と、のいずれか１つ又はこれらの組み合わせを提示する。
【００１４】
このデマンドレスポンス制御結果提示装置では、制御結果提示部が、制御結果として上記の情報を提示するので、ユーザに対して、デマンドレスポンスの制御内容とインセンティブの量との関係を認識させることができる。このため、ユーザの判断の妥当性をさらに向上できる。
【００１５】
本発明の第６観点に係るデマンドレスポンス制御結果提示装置は、第１観点から第５観点のいずれかに係るデマンドレスポンス制御結果提示装置であって、制御結果提示部が、インセンティブの量として、デマンドレスポンス制御により調整される単位エネルギー消費量あたりの獲得金額と、デマンドレスポンス制御の制御回数あたりの獲得金額と、ユーザが支払う単位エネルギー消費量に対する割引金額と、ユーザが支払うエネルギー消費量に対するデマンドレスポンス制御の制御回数あたりの割引金額と、ユーザが支払う単位エネルギー消費量に対する割引後の金額と、の少なくともいずれか１つに対応させて制御結果を提示する。
【００１６】
このデマンドレスポンス制御結果提示装置では、制御結果提示部が、インセンティブの量として上記の情報を提示するので、インセンティブの態様に合わせて制御結果を提示できる。ユーザの所望するインセンティブの態様で制御結果を提示することで、ユーザの判断の妥当性をさらに向上できる。
【発明の効果】
【００１７】
本発明の第１観点に係るデマンドレスポンス制御結果提示装置では、ユーザに対して、デマンドレスポンスにおけるインセンティブの獲得効率を適切に判断させることができる。
【００１８】
本発明の第２観点に係るデマンドレスポンス制御結果提示装置では、同一の制御条件において多くのインセンティブを獲得できる時間帯などをユーザに認識させることができる。
【００１９】
本発明の第３観点に係るデマンドレスポンス制御結果提示装置では、閾値と比較することで、インセンティブの獲得効率をユーザに容易に判断させることができる。
【００２０】
本発明の第４観点に係るデマンドレスポンス制御結果提示装置では、制御条件に対する判断の妥当性を他者との比較でユーザに検証させることができる。
【００２１】
本発明の第５観点に係るデマンドレスポンス制御結果提示装置では、ユーザに対して、デマンドレスポンスの制御内容とインセンティブの量の関係を認識させることができる。
【００２２】
本発明の第６観点に係るデマンドレスポンス制御結果提示装置では、インセンティブの態様に合わせて制御結果を提示できる。
【図面の簡単な説明】
【００２３】
【図１】第１の実施形態に係るエネルギー消費管理システムを説明するための模式図。
【図２】第１の実施形態に係る電力管理装置１０の構成を示す模式図。
【図３】第１の実施形態に係る記憶部１４の構成を示す模式図。
【図４】第１の実施形態に係る制御装置３０の構成を示す模式図。
【図５】ＤＲ制御の制御結果の表示画面の一例を示す図。
【図６】ＤＲ制御の制御結果の表示画面の一例を示す図。
【図７】ＤＲ制御の制御結果の表示画面の一例を示す図。
【図８】変形例１Ｄに係るエネルギー消費管理システムを説明するための模式図。
【図９】変形例１Ｅに係るエネルギー消費管理システムを説明するための模式図。
【図１０】本発明の第２の実施形態に係る電力管理装置１０Ａの構成を示す模式図。
【図１１】ＤＲ制御の制御結果の表示画面の一例を示す図。
【図１２】ＤＲ制御の制御結果の表示画面の一例を示す図。
【発明を実施するための形態】
【００２４】
＜第１の実施形態＞
（１）エネルギー消費管理システムの全体構成
図１は本発明の第１の実施形態に係るエネルギー消費管理システムを説明するための模式図である。以下においては説明を分かり易くするために、設備機器２０で消費されるエネルギーは電気エネルギーであるとする。
【００２５】
エネルギー消費管理システムは、設備機器２０が電力会社１ａからの制御要請に応じてエネルギー消費量の調整を所定の調整期間行った場合、設備機器のユーザに対してインセンティブを付与する仕組みのことである。このエネルギー消費管理システムは、複数の設備機器に対する複数のユーザに個別にインセンティブを付与する。電力会社１ａ及びユーザは予め電力の使用に関する取り決めを定めた契約を締結しており、インセンティブの態様も契約に基づいて予め決められる。このようなエネルギー消費管理システムは、電力供給者の電力会社１ａと、需要者の各物件Ａ，Ｂに設置された各装置とにより実現される。
【００２６】
電力会社１ａは、電力管理装置１０を有する。電力管理装置１０は各設備機器２０にエネルギーの調整を促す「制御要請」を送出する。また電力管理装置１０は設備機器２０が制御要請に応じた記録などから、ユーザに付与するインセンティブの量の算出等を行なう。なお電力管理装置１０は、電力会社１ａだけでなく、下位の電力供給者であるアグリゲータに設置される場合もある。
【００２７】
物件Ａ，Ｂの施設３ａ，３ｂは、例えば、オフィスビル、テナントビル、工場及び一般家庭等の建物である。各物件Ａ，Ｂには、設備機器２０と、設備機器２０に電力を供給する電源６と、電源６から設備機器２０に供給される電力量を計測する電力メーター７と、設備機器２０を制御する制御装置３０とが設置される。物件Ａ，Ｂの施設３ａ，３ｂには、電源ライン１０２ａを通して電力会社１ａから電力が供給される。同一物件内の設備機器２０には、屋内の電源ライン１０２ｂを介して電源６から電力が供給される。また、電力管理装置１０と制御装置３０とは、例えばインターネット１０１ａで接続される。同一物件内の制御装置３０と設備機器２０とは、専用の制御線１０１ｂ等で接続される。
【００２８】
なお、図１においては、各物件Ａ，Ｂや各装置の数は限定的に記載されているが、これらの数に限られるものではない。
【００２９】
（２）エネルギー消費管理システムに用いられる装置
（２−１）電力管理装置１０
図２は電力管理装置１０の構成を示す模式図である。電力管理装置１０は、通信部１１、入力部１２、出力部１３、記憶部１４、及び演算部１５を備える。
【００３０】
通信部１１は、制御装置３０と通信するものであり、インターネット１０１ａへの接続を可能にするネットワークインターフェース等で構成される。
【００３１】
入力部１２は、電力管理装置１０に情報を入力するものであり、操作ボタン、キーボード及びマウス等により構成される。
【００３２】
出力部１３は、電力管理装置１０に記憶された情報等を出力するものであり、ディスプレイ等により構成される。
【００３３】
記憶部１４は、電力管理装置１０に入力された情報等を記憶するものであり、ハードディスク等により構成される。記憶部１４は、図３に示すように、各物件Ａ，Ｂにおける調整可能な電力量と調整可能な時間帯との組合せ等を記憶する。また記憶部１４は、演算部１５で実行されるプログラム等を記憶する。
【００３４】
演算部１５は、電力管理装置１０に記憶された情報等に基づいて各種演算を実行するものであり、ＣＰＵ、ＲＯＭ及びＲＡＭ等から構成される。演算部１５は、記憶部１４に記憶されているプログラムを読み出して実行することにより、図２に示されている、電力消費量予測部１５ａ、電力調整決定部１５ｂ、設備機器選択部１５ｃ、制御要請送出部１５ｄ、及びインセンティブ情報決定部１５ｅとして機能する。
【００３５】
電力消費量予測部１５ａは、電力の供給量及び需要量の予測を行い、所定時間後の電力の消費量を予測するものである。また電力消費量予測部１５ａは、所定時間後の電力の需要量が所定の供給量を上回る可能性があるか否かを判定する。
【００３６】
電力調整決定部１５ｂは、電力消費量予測部１５ａにより所定時間後の電力の需要量が所定の供給量を上回る可能性があると判定された場合、電力の消費抑制に必要な調整量、調整時刻及び調整期間を決定するものである。
【００３７】
設備機器選択部１５ｃは、記憶部１４に記憶された設備機器２０の情報と、電力調整決定部１５ｂで決定された電力の消費抑制に必要な情報とに基づいて、デマンドレスポンス制御を実施する設備機器２０を選択するものである。
【００３８】
制御要請送出部１５ｄは、設備機器選択部１５ｃで選択された制御装置３０に電力使用量の調整を促す「制御要請」を送出するものである。制御要請には調整する電力量及び時間帯などの情報が含まれる。なお、供給者とユーザとの間の契約内容によっては、調整する電力量が事前に取り決められている場合もあり、この場合には調整する電力量に関する情報の送出は省略される。
【００３９】
インセンティブ情報決定部１５ｅは、ユーザに付与されるインセンティブの量に関する情報を決定するものである。インセンティブの量は、例えば電力調整量とインセンティブ単価との積で付与される。インセンティブ情報決定部１５ｅは、状況に応じてインセンティブ単価等を変更する。そして、インセンティブ情報決定部１５ｅは、インセンティブ単価等を変更した場合には、変更後のインセンティブ単価等を「インセンティブの量に関する情報」として通信部１１を介して制御装置３０に送出する。
【００４０】
（２−２）設備機器２０
設備機器２０は、制御装置３０により設定される制御条件で動作する機器である。設備機器２０が、電力管理装置１０からの制御要請を満たす制御条件で動作することで、エネルギー消費管理システムにおいて電力消費量が調整されることになる。
【００４１】
設備機器２０の種類としては、空調機２０ａ、照明２０ｂ、換気扇２０ｃ等がある。空調機２０ａは、冷房モード／暖房モードなどの運転モードの違いや設定温度の違いや外気温などの環境の違いによって運転状態での消費電力が異なるものである。照明２０ｂには、ＯＮ／ＯＦＦだけが操作されて運転状態では一定電力を消費するものもあれば、多段階に照度が切り換えられて操作ごとに消費電力が異なるものもある。換気扇２０ｃは、ＯＮ／ＯＦＦだけが操作されて、運転状態では一定電力を消費するものである。
【００４２】
（２−３）制御装置３０
図４は制御装置３０の構成を示す模式図である。制御装置３０は、エネルギー消費管理システムで用いられ、設備機器２０を制御するものである。制御装置３０は、通信部３１、入力部３２、出力部３３、記憶部３４、設定部３５、演算部３６、及び制御部３７を備える。
【００４３】
通信部３１は、電力管理装置１０と通信するものであり、インターネット１０１ａへの接続を可能にするネットワークインターフェース等で構成される。また、通信部３１（インセンティブ量取得部）は、電力管理装置１０からデマンドレスポンス制御における「インセンティブの量に関する情報」を取得する。通信部３１により取得されたインセンティブの量に関する情報は、後述する記憶部３４に書き込まれる。
【００４４】
入力部３２は、制御装置３０に情報を入力するものであり、操作ボタン及び出力部３３のディスプレイを覆うタッチスクリーン等により構成される。この入力部３２を介して、設備機器２０に対する設定の変更及び運転モードの変更などの各種命令を入力することができる。
【００４５】
出力部３３は、制御装置３０に記憶された情報等を出力するものであり、ディスプレイ等により構成される。例えば、出力部３３のディスプレイは、設備機器２０の運転態様を示す画面を出力し、設備機器２０のＯＮ／ＯＦＦ、運転モード（例えば、空調機２０ａであれば冷房モード／暖房モードなど）、設定温度、照度、換気量、稼働時間、稼働率、その他の稼動時の運転能力に関する情報、及び現在の消費電力などを表示する。さらに、出力部３３のディスプレイは、デマンドレスポンス制御の制御結果を表示する。出力部３３のディスプレイの表示態様の詳細については後述する。
【００４６】
記憶部３４は、制御装置３０に入力等された情報を記憶するものであり、ハードディスク等により構成される。また記憶部３４は、後述する演算部３６が読み出して実行可能なプログラムを記憶する。さらに、記憶部３４は、設備機器２０の種類に応じて、制御条件及び消費電力の情報を記憶する。「制御条件」は、制御装置３０が設備機器２０を制御するときの条件のことである。例えば、制御条件として、所定の設定温度になるように空調機２０ａを制御するための出力情報等が記憶される。初期の状態では制御条件は事前に設定される。また記憶部３４は、通信部３１により取得された「インセンティブの量に関する情報」を記憶する。また記憶部３４は、入力部３２で設定された「閾値」を記憶する。また記憶部３４は、設備機器２０で既に実行されたデマンドレスポンス制御の「制御結果に関する情報」を記憶する。
【００４７】
設定部３５は、入力部３２から入力された情報等に基づいて、設備機器２０の制御条件を設定するものである。設定部３５がデマンドレスポンス制御の制御条件を変更すると、デマンドレスポンス制御の制御結果で得られるインセンティブの獲得量が変更されることになる。
【００４８】
演算部３６は、制御装置３０に記憶された情報等に基づいて各種演算を実行するものであり、例えばＣＰＵ、ＲＯＭ及びＲＡＭから構成される。演算部３６の機能は、上述の記憶部３４に記憶されているプログラムを読み出して実行することにより実現される。演算部３６は、設定部３５で設定された制御条件に基づいて、インセンティブの獲得量を算出する機能を有している。また演算部３６は、出力部３３のディスプレイに出力される情報を生成する。具体的には、演算部３６は、インセンティブの量の変動に対応させてデマンドレスポンス制御の制御結果を提示する画面情報を生成する。
【００４９】
制御部３７は、設定部３５により設定された制御条件等に基づいて設備機器２０を制御するものである。
【００５０】
（３）制御装置３０の動作
本実施形態に係る制御装置３０は、入力部３２を介してユーザから制御結果の提示命令などが入力された場合、出力部３３のディスプレイに制御結果を表示する。なお、制御結果の表示は、提示命令の入力によらず、制御装置３０の電源の起動時や、入力部３２及び出力部３３を構成するタッチスクリーンの接触時、電力管理装置１０からの情報取得時など任意のタイミングであってもよい。
【００５１】
図５はＤＲ制御の制御結果の表示画面の一例を示す図である。図５において、横軸はＤＲ制御により調整される電力消費量あたりのインセンティブの単価（［円／ｋＷ］）を示しており、縦軸は（ａ１）所定の期間における設備機器がデマンドレスポンス制御を行った制御時間（［ｈ／集計期間］）を示している。ただし、ＤＲ制御の制御結果としては、これに限らず、（ａ２）所定の期間における設備機器がデマンドレスポンス制御を行った制御回数、（ａ３）所定の期間における設備機器が行ったデマンドレスポンス制御により調整された電力消費量（［ｋＷｈ／集計期間］）、（ａ４）所定の期間における設備機器が行ったデマンドレスポンス制御によりユーザに付与されたインセンティブの量、（ａ５）所定の期間における設備機器が受け取った制御要請の回数を示す要請回数、及び（ａ６）所定の期間における設備機器が制御要請に応じることが可能な回数を示す制御可能回数などを採用してもよい。
【００５２】
制御装置３０は図５に示すような表示画面を出力するので、ユーザはＤＲ制御によるインセンティブを効率よく獲得できたか否かを的確に判断することが可能となる。例えば、仮にインセンティブ単価の高い時間帯で、ＤＲ制御を行った時間が長かったり、調整された電力消費量が多かったりすれば、インセンティブを効率よく獲得できたということになる。
【００５３】
さらに、制御装置３０は、図６，７に示すように、上述した各情報を組み合わせて表示することもできる。例えば、図６に示すように、（ａ５）要請回数と（ａ２）制御回数とを同時に表示する。なお図６において網掛け部分が制御回数を示しており、白抜き部分が要請回数を示している。
【００５４】
制御装置３０は図６に示すような表示画面を出力するので、ＤＲ制御の制御内容についての改善点をユーザに認識させることができる。例えば、図６の矢印Ｋ１で示されたインセンティブ単価の高い領域においては、ＤＲ制御の制御回数がゼロであるが、要請回数もゼロであることが表示されている。これにより、この領域において、制御要請自体がなかったのか、制御要請はあったが制御できなかったのか又は制御しなかったのかをユーザに認識させることができる。ここでは、要請回数がゼロなので制御要請自体がなく、このような条件でインセンティブを獲得することは不可能であることをユーザに認識させることができる。また、仮に制御要請があったのに制御していないとすれば、機会損失が生じていることをユーザに意識させることができる。一方、図６の矢印Ｋ２で示された単価の低い部分では、ＤＲ制御の要請回数はゼロではないが少ないことがわかる。一般にＤＲ制御を行うと、設備機器の周囲の快適性が損なわれる。したがって、低いインセンティブで快適性を犠牲にする必要性があるのか否かをユーザに認識させることができる。
【００５５】
また、図７は（ａ６）制御可能回数と（ａ２）制御回数とを同時に表示する例を示している。なお図７において網掛け部分が制御回数を示しており、白抜き部分が制御可能回数を示している。この場合も図６と同様の議論が成り立ち、ユーザはインセンティブの獲得効率の良し悪しを判断しやすくなる。
【００５６】
（４）特徴
（４−１）
本実施形態に係る制御装置（デマンドレスポンス制御結果提示装置）３０は、設備機器２０が制御要請に応じてエネルギー消費量を調整するデマンドレスポンス制御を行った場合、設備機器２０のユーザに対してインセンティブを付与するエネルギー消費量管理システムに用いられる。制御装置３０は、設備機器２０が行ったデマンドレスポンス制御の制御結果を提示する。制御装置３０は、通信部３１（制御結果取得部、インセンティブ量取得部）と出力部３３及び演算部３６（制御結果提示部）とを備える。通信部３１は、制御結果に関する情報を取得する。また通信部３１は、インセンティブの量に関する情報を取得する。演算部３６は、インセンティブの量に関連付けて制御結果を提示するための情報を生成する。出力部３３は、演算部３６により生成された情報を提示する。
【００５７】
したがって、制御装置３０では、出力部３３がインセンティブの量に関連付けて制御結果を提示するので、ユーザに対して、デマンドレスポンスにおけるインセンティブの獲得効率を適切に判断させることができる。換言すると、ユーザに制御条件の継続や変更を判断させることができるので、デマンドレスポンスへの参加のモチベーションの維持やインセンティブの獲得機会の損失を低減することができる。
【００５８】
（４−２）
制御装置３０は、出力部３３がインセンティブの量の変動に対応させて制御結果を提示する。したがって、この制御装置３０では、同一の制御条件において多くのインセンティブを獲得できる時間帯などをユーザに認識させることができる。
【００５９】
（４−３）
制御装置３０は、出力部３３が、制御結果として、（ａ１）所定の期間における設備機器２０がデマンドレスポンス制御を行った制御時間（［ｈ／集計期間］）と、（ａ２）所定の期間における設備機器２０がデマンドレスポンス制御を行った制御回数と、（ａ３）所定の期間における設備機器２０が行ったデマンドレスポンス制御により調整された電力消費量（［ｋＷｈ／集計期間］）と、（ａ４）所定の期間における設備機器２０が行ったデマンドレスポンス制御によりユーザに付与されたインセンティブの量と、（ａ５）所定の期間における設備機器２０が受け取った制御要請の回数を示す要請回数と、（ａ６）所定の期間における設備機器２０が制御要請に応じることが可能な回数を示す制御可能回数と、のいずれか１つ又はこれらの組み合わせを提示する。出力部３３が、制御結果として上記の情報を提示するので、ユーザに対して、デマンドレスポンスの制御内容とインセンティブの量の関係を認識させることができる。このため、ユーザの判断の妥当性をさらに向上できる。
【００６０】
（５）変形例
（５−１）変形例１Ａ
なお、本実施形態に係る制御装置３０は、入力部３２（閾値設定部）を介して、デマンドレスポンス制御の制御結果に対する閾値の設定を受け付けてもよい。ここで、設定された閾値は記憶部３４に記憶される。閾値が設定された場合、演算部３６が制御結果と閾値とを比較し、比較結果に応じてＤＲ制御の制御結果を提示する画面情報を生成する。そして、出力部３３が生成された画面情報をディスプレイに表示する。ここでは、設定された閾値に対する超過・未満に対して「ＧＯＯＤ！／ＢＡＤ・・・」のようなレベル形式で制御結果を提示する画面情報を生成してもよい。この制御装置３０によれば、閾値と比較して制御結果を提示するので、インセンティブの獲得効率をユーザに容易に判断させることができる。
【００６１】
（５−２）変形例１Ｂ
なお、本実施形態において、出力部３３はＤＲ制御の制御結果として、上述した（ａ１）〜（ａ６）の情報だけでなく、以下に示す各種回数の情報を表示してもよい。すなわち、設備機器が受け取った制御要請の回数を示す要請回数を細分化したものを表示してもよい。「（ａ５）要請回数」は、設備機器が制御要請に応じることが可能であるか否かに着目して区分することが可能である。そこで例えば、（ａ５１）設備機器が制御要請に応じることが可能な回数を示す制御可能回数と、（ａ５２）設備機器が制御要請に応じることが不可能な回数を示す制御不可回数とを区分けして表示する。また、要請回数は、制御要請への対応に着目して区分することも可能である。そこで例えば、（ａ５３）制御要請に応じて設備機器がデマンドレスポンス制御を行った制御回数と、（ａ５４）デマンドレスポンス制御を行わなかった拒絶回数とを区分けして表示する。また、要請回数は、インセンティブの獲得機会に着目して区分することも可能である。そこで例えば、（ａ５５）インセンティブを満額獲得した回数と、（ａ５６）インセンティブを部分的に獲得した回数と、（ａ５７）ユーザが設定した基準に応じたインセンティブの獲得機会の損失回数とを区分けして表示する。また、要請回数は、ＤＲ制御の制御内容が事前に設定された基準を満たしたか否かに応じたペナルティの有無に着目して区分することも可能である。そこで、（ａ５８）基準を満たした回数と、（ａ５９）基準を満たさなかった回数とを区分けして表示する。また、要請回数は、ユーザが設定した基準の成否区分に着目して区分することも可能である。そこで、（ａ６０）基準を満たした回数と（ａ６１）基準を満たさなかった回数とを区分けして表示する。
【００６２】
（５−３）変形例１Ｃ
なお、本実施形態において、インセンティブの量として、（ｂ１）ＤＲ制御により調整される電力消費量あたりの獲得金額（［円／ｋＷ］）だけでなく、例えば以下に示すもので定義してもよい。すなわち、インセンティブの量として、（ｂ２）デマンドレスポンス制御の制御回数あたりの獲得金額（［円／回］）、（ｂ３）ユーザが支払う単位エネルギー消費量に対する割引金額（［円／ｋＷ］）、（ｂ４）ユーザが支払うエネルギー消費量に対する、デマンドレスポンス制御の制御回数あたりの割引金額（［円／回］）、（ｂ５）ユーザが支払う単位エネルギー消費量に対する割引後の金額（［円／ｋＷ］）のうちのいずれかで定義されてもよい。ユーザの所望するインセンティブの態様で制御結果を提示することで、ユーザの判断の妥当性をさらに向上できる。
【００６３】
（５−４）変形例１Ｄ
なお、本実施形態では、制御装置３０の出力部３３がＤＲ制御の制御結果を提示する構成としたが、図８に示すように、ＤＲ制御の制御結果を提示する提示装置４０を制御装置３０とは個別に備える構成であってもよい。このような構成であれば、ユーザは制御装置３０の設置場所によらずにＤＲ制御の制御結果を確認することができる。
【００６４】
（５−５）変形例１Ｅ
なお、制御装置３０は、設備機器２０に、ネットワークＮＷを介して接続されていてもよい。また、制御装置３０とは個別に、ＤＲ制御の制御結果を提示する提示装置４０を設けてもよい。例えば、図９に示すように、各装置がインターネット等を介してクラウド型の構成であってもよい。提示装置４０はネットワークを介して各装置に接続しているので、ユーザは任意の場所でＤＲ制御の制御結果を確認することができる。
【００６５】
＜第２の実施形態＞
（１）エネルギー消費管理システムに用いられる装置
以下、既に説明した部分と同一の部分には略同一の符号を付し、重複した説明を省略する。
【００６６】
（１−１）電力管理装置１０Ａ
図１０は本発明の第２の実施形態にかかる電力管理装置１０Ａの構成を示す模式図である。
【００６７】
電力管理装置１０Ａは、上述した電力管理装置１０の構成に加え、記憶部１４Ａ及び演算部１５Ａを備える。
【００６８】
記憶部１４Ａは、各物件Ａ，Ｂ・・・に設置された設備機器２０が実行したデマンドレスポンス制御の制御結果を記憶する。また、記憶部１４Ａは、デマンドレスポンス制御の制御結果に応じたインセンティブ量を物件毎に記憶する。
【００６９】
演算部１５Ａは、類似物件処理部１５ｆとしての機能も有する。
【００７０】
類似物件処理部１５ｆは、記憶部１４Ａに記憶された他物件のデマンドレスポンス制御の制御結果を分類して類似物件として設定する。具体的には、各物件Ａ，Ｂ・・・の契約形態や所在地域、物件形態（戸建／集合住宅）、過去の電力使用量等の観点に基づいて類似物件を設定する。また、類似物件処理部１５ｆは、特定の物件Ａに設置された制御装置３０Ａから、類似物件におけるデマンドレスポンス制御の制御結果の「送信要求」があった場合、その物件Ａ以外の類似物件のデマンドレスポンス制御の制御結果を集計して統計処理を行なう。具体的には、類似物件処理部１５ｆは、平均値、最頻値、最大値、最小値などの統計値を算出する。算出した統計値は「類似物件におけるＤＲ制御の制御結果」として記憶部１４Ａに記憶される。
【００７１】
（１−２）制御装置３０Ａ
制御装置３０Ａは、上述した制御装置３０の構成に加え、「類似物件におけるＤＲ制御の制御結果」の送信要求を電力管理装置１０Ａに送出する機能を有する。これにより、制御装置３０Ａは、電力管理装置１０Ａから「類似物件におけるＤＲ制御の制御結果」を取得する。また、制御装置３０Ａは、「類似物件におけるＤＲ制御の制御結果」を自物件のＤＲ制御の制御結果とともに出力部３３のディスプレイに表示する機能を有する。
【００７２】
（２）制御装置３０Ａの動作
本実施形態に係る制御装置３０Ａは、通信部３１及び入力部３２を介して電力管理装置１０Ａに「類似物件におけるＤＲ制御の制御結果」の送信要求を送出する。制御装置３０Ａは、電力管理装置１０Ａから「類似物件におけるＤＲ制御の制御結果」を取得し、出力部３３のディスプレイに制御結果を表示する。なお、送信要求の送出は、入力部３２を介した操作によらず、制御装置３０の電源の起動時や、入力部３２及び出力部３３を構成するタッチスクリーンの接触時など任意のタイミングであってもよい。
【００７３】
図１１，１２はＤＲ制御の制御結果の表示画面の一例を示す図である。図１１において、横軸はＤＲ制御により調整される電力消費量あたりのインセンティブの単価（［円／ｋＷ］）を示しており、縦軸はデマンドレスポンス制御を行った回数を示している。また図１２において、横軸はＤＲ制御により調整される電力消費量あたりのインセンティブの単価（［円／ｋＷ］）を示しており、縦軸はインセンティブの獲得率（［％］）を示している。
【００７４】
制御装置３０Ａは、図１１，１２に示すような表示画面を出力するので、自物件と類似物件とにおける制御結果の違いをユーザに認識させることが可能となる。結果として、ユーザはＤＲ制御の制御内容の妥当性を的確に判断できるようになる。
【００７５】
（３）特徴
本実施形態に係る制御装置３０Ａは、複数の設備機器に対する複数のユーザに個別にインセンティブを付与するエネルギー消費管理システムに用いられる。通信部３１（制御結果取得部）は、一のユーザ以外の他のユーザの設備機器２０が行ったデマンドレスポンス制御の制御結果に関する情報を取得する。出力部３３及び演算部３６（制御結果提示部）は、他のユーザの制御結果に関する情報に基づいて、一のユーザの制御結果を提示する。
【００７６】
この制御装置３０Ａでは、出力部３３が他のユーザの制御結果に関する情報に基づいて一のユーザの制御結果を提示するので、制御条件に対する判断の妥当性を他者との比較でユーザに検証させることができる。
【００７７】
（４）変形例
（４−１）変形例２Ａ
なお、本実施形態では、類似物件処理部１５ｆが、「送信要求」が送られた物件Ａ以外の類似物件のＤＲ制御の制御結果を統計処理しているが、物件Ａも含めて類似物件のＤＲ制御の制御結果を統計処理してもよい。これにより、特定の物件Ａからの「送信要求」を待たずに、類似物件のＤＲ制御の制御結果を集計して統計処理を行なうことができるので、電力管理装置１０Ａにおける計算負荷を軽減できる。
【００７８】
（４−２）変形例２Ｂ
なお、本実施形態では、電力管理装置１０Ａが類似物件処理部１５ｆを備えて類似物件毎に制御結果を集計して統計処理を行なうとしたが、各制御装置３０Ａ側で必要な情報を収集し、類似物件毎に制御結果を集計して統計処理を行なってもよい。
【００７９】
＜付記＞
なお、本発明は、上記実施形態そのままに限定されるものではない。本発明は、実施段階ではその要旨を逸脱しない範囲で構成要素を変形して具体化できる。また、本発明は、上記実施形態に開示されている複数の構成要素の適宜な組み合わせにより種々の発明を形成できるものである。例えば、実施形態に示される全構成要素から幾つかの構成要素は削除してもよいものである。さらに、異なる実施形態に構成要素を適宜組み合わせてもよいものである。
【符号の説明】
【００８０】
１０    電力管理装置
２０    設備機器
３０    制御装置（デマンドレスポンス制御結果提示装置）
３１    通信部（制御結果取得部、インセンティブ量取得部）
３２    入力部（閾値設定部）
３３    出力部
３４    記憶部
３５    設定部
３６    演算部（制御結果提示部）
３７    制御部（制御結果提示部）
４０    提示装置
【先行技術文献】
【特許文献】
【００８１】
【特許文献１】特開２００５−２５０５２３号公報
【図１】
2016177657.tif 000003
【図２】
2016177657.tif 000004
【図３】
2016177657.tif 000005
【図４】
2016177657.tif 000006
【図５】
2016177657.tif 000007
【図６】
2016177657.tif 000008
【図７】
2016177657.tif 000009
【図８】
2016177657.tif 000010
【図９】
2016177657.tif 000011
【図１０】
2016177657.tif 000012
【図１１】
2016177657.tif 000013
【図１２】
2016177657.tif 000014
【手続補正書】
【提出日】平成28年7月15日(2016.7.15)
【手続補正１】
【補正対象書類名】特許請求の範囲
【補正対象項目名】全文
【補正方法】変更
【補正の内容】
【特許請求の範囲】
【請求項１】
設備機器（２０）が制御要請に応じてエネルギー消費量を調整するデマンドレスポンス制御を行った場合、前記設備機器のユーザに対してインセンティブを付与するエネルギー消費量管理システムに用いられる、前記設備機器が行った前記デマンドレスポンス制御の制御結果を提示するデマンドレスポンス制御結果提示装置（３０）であって、
単位時間毎の前記制御結果に関する情報を取得する制御結果取得部（３１）と、
前記単位時間毎の前記インセンティブの量に関する情報を取得するインセンティブ量取得部（３１）と、
前記インセンティブの量の所定期間における変動に対応させて前記制御結果を提示する制御結果提示部（３３，３６）と、
を備える、デマンドレスポンス制御結果提示装置。
【請求項２】
前記制御結果に対する閾値の設定を受け付ける閾値設定部（３２）をさらに備え、
前記制御結果提示部は、前記制御結果と前記閾値とを比較し、比較結果に応じて前記制御結果を提示する、
請求項１に記載のデマンドレスポンス制御結果提示装置。
【請求項３】
前記エネルギー消費量管理システムは、複数の設備機器に対する複数のユーザに個別にインセンティブを付与するものであり、
前記制御結果取得部は、一のユーザ以外の他のユーザの設備機器が行ったデマンドレスポンス制御の制御結果に関する情報を取得し、
前記制御結果提示部は、他のユーザの前記制御結果に関する情報に基づいて、前記一のユーザの制御結果を提示する、
請求項１または２に記載のデマンドレスポンス制御結果提示装置。
【請求項４】
前記制御結果提示部は、前記制御結果として、
所定の期間における前記設備機器がデマンドレスポンス制御を行った時間と、
所定の期間における前記設備機器がデマンドレスポンス制御を行った回数と、
所定の期間における前記設備機器が行ったデマンドレスポンス制御により調整されたエネルギー消費量と、
所定の期間における前記設備機器が行ったデマンドレスポンス制御により前記ユーザに付与されたインセンティブの量と、
所定の期間における前記設備機器が受け取った前記制御要請の回数と、
所定の期間における前記設備機器が前記制御要請に応じることが可能な回数と、
のいずれか１つ又はこれらの組み合わせを提示する、
請求項１から３のいずれか１項に記載のデマンドレスポンス制御結果提示装置。
【請求項５】
前記制御結果提示部は、前記インセンティブの量として、
前記デマンドレスポンス制御により調整される単位エネルギー消費量あたりの獲得金額と、
前記デマンドレスポンス制御の制御回数あたりの獲得金額と、
前記ユーザが支払う単位エネルギー消費量に対する割引金額と、
前記ユーザが支払うエネルギー消費量に対する、前記デマンドレスポンス制御の制御回数あたりの割引金額と、
前記ユーザが支払う単位エネルギー消費量に対する割引後の金額と、
の少なくともいずれか１つに対応させて前記制御結果を提示する、
請求項１から４のいずれか１項に記載のデマンドレスポンス制御結果提示装置。